(57)【要約】【課題】高い広告効果が得られ、然も利用者の利便性を損なうことのない広告表示システムおよび広告表示方法ならびに広告表示用プログラムを提供する。【解決手段】記憶装置１０４は、パスワード入力画面に表示する広告情報１０５を記憶する。広告表示制御手段１０７は、記憶装置１０４に記憶された広告情報１０５を表示装置１０３のパスワード入力画面に表示する。その際、広告表示制御手段１０７は、パスワードの文字が１文字入力される毎に広告情報の表示を変化させる。【選択図】図１
2010211248.tif 000002
【特許請求の範囲】
【請求項１】
広告情報を記憶する記憶手段と、前記記憶された広告情報を表示装置のパスワード入力画面に表示する手段であって、パスワードの文字が１文字入力される毎に広告情報の表示を変化させる表示制御手段とを備えることを特徴とする広告表示システム。
【請求項２】
前記表示制御手段は、パスワード入力画面に表示した広告情報内の特定の物の色を文字入力のタイミングで変化させることを特徴とする請求項１記載の広告表示システム。
【請求項３】
前記表示制御手段は、パスワード入力画面に表示した広告情報内の特定の物の位置を文字入力のタイミングで移動させることを特徴とする請求項１記載の広告表示システム。
【請求項４】
前記表示制御手段は、パスワード入力画面に表示した広告情報全体を文字入力のタイミングで別の広告情報に切り替えることを特徴とする請求項１記載の広告表示システム。
【請求項５】
パスワードの入力文字数を計測する入力文字数計測手段を備え、前記表示制御手段は、前記入力文字数計測手段で計測された入力文字数に応じて広告情報の表示を変化させることを特徴とする請求項１記載の広告表示システム。
【請求項６】
前記表示制御手段は、パスワードの入力文字数と等しい数の広告情報をパスワード入力画面に表示することを特徴とする請求項５記載の広告表示システム。
【請求項７】
前記記憶手段は複数の広告情報をセットにして記憶し、前記表示制御手段は、パスワード長以下の個数の広告情報から構成されるセットを選択し、該選択したセットから広告情報を１つずつ選択してパスワード入力画面に表示することを特徴とする請求項４または６記載の広告表示システム。
【請求項８】
前記表示制御手段は、パスワード入力画面に表示した広告情報の複数の領域のうち、パスワードの入力文字数に応じた数の領域の色を変化させることを特徴とする請求項５記載の広告表示システム。
【請求項９】
前記表示制御手段は、パスワード入力画面に表示した広告情報内の特定の物の数をパスワードの入力文字数に応じて変化させることを特徴とする請求項５記載の広告表示システム。
【請求項１０】
前記表示制御手段は、パスワード入力画面に表示した広告情報内の複数の特定の物のうち、所定の動きをする特定の物の数をパスワードの入力文字数に応じて変化させることを特徴とする請求項５記載の広告表示システム。
【請求項１１】
前記表示制御手段は、パスワード入力画面に表示した複数の広告情報のうち、所定の動きをする広告情報の数をパスワードの入力文字数に応じて変化させることを特徴とする請求項５記載の広告表示システム。
【請求項１２】
前記表示制御手段は、パスワード入力画面に表示した広告情報の表示サイズを、パスワードの入力文字数に応じて変化させることを特徴とする請求項５記載の広告表示システム。
【請求項１３】
前記表示制御手段は、広告情報を構成する複数の領域のうち、パスワードの入力文字数に応じた数の領域をパスワード入力画面に表示させることを特徴とする請求項５記載の広告表示システム。
【請求項１４】
前記記憶手段は分割数の異なる複数の広告情報を記憶し、前記表示制御手段は、パスワード長に等しい数に分割された広告情報を選択することを特徴とする請求項１３記載の広告表示システム。
【請求項１５】
前記表示制御手段は、パスワード入力画面に表示した広告情報に含まれる数値を入力文字数に応じて変化させることを特徴とする請求項５記載の広告表示システム。
【請求項１６】
パスワード入力画面に表示された広告情報に対応する広告内容情報を記憶する記憶手段と、パスワード入力画面に表示された広告情報に対する広告内容情報要求をユーザから受信する広告内容情報要求受信手段と、要求された広告内容情報を前記表示装置に表示する広告内容情報表示制御手段とを備えることを特徴とする請求項１〜１５の何れか１項に記載の広告表示システム。
【請求項１７】
利用者ＩＤとパスワードとの対応表を記憶する記憶手段と、利用者ＩＤに対応して利用者情報を記憶する記憶手段と、利用者ＩＤに対応して記憶されているパスワードがユーザから入力されたパスワードと一致するか否かを判定して利用者を特定する利用者特定手段と、特定された利用者の利用者ＩＤに対応して記憶されている利用者情報を予め定められた通知先へ通知する利用者情報通知手段とを備えることを特徴とする請求項１〜１６の何れか１項に記載の広告表示システム。
【請求項１８】
利用者ＩＤとパスワードとの対応表を記憶する記憶手段と、利用者ＩＤに対応して利用者のサービスポイントを記憶する記憶手段と、利用者ＩＤに対応して記憶されているパスワードがユーザから入力されたパスワードと一致するか否かを判定して利用者を特定する利用者特定手段と、特定された利用者の利用者ＩＤに対応して記憶されている利用者のサービスポイントをその利用者のパスワード長に応じた値だけ更新するサービス提供手段とを備えることを特徴とする請求項１〜１５の何れか１項に記載の広告表示システム。
【請求項１９】
表示装置のパスワード入力画面に広告情報を表示する広告表示方法であって、パスワードの文字が１文字入力される毎に広告情報の表示を変化させる処理を含むことを特徴とする広告表示方法。
【請求項２０】
パスワードの入力文字数を計測し、計測された入力文字数に応じて広告情報の表示を変化させる処理を含むことを特徴とする請求項１９記載の広告表示方法。
【請求項２１】
パスワード長以下の個数の広告情報から構成されるセットを選択し、該選択したセットから広告情報を１つずつ選択してパスワード入力画面に表示することを特徴とする請求項１９または２０記載の広告表示方法。
【請求項２２】
パスワード長に等しい数に分割された広告情報を選択することを特徴とする請求項２０記載の広告表示方法。
【請求項２３】
パスワード入力画面に表示した広告情報に含まれる数値を入力文字数に応じて変化させることを特徴とする請求項２０記載の広告表示方法。
【請求項２４】
パスワード入力画面に表示された広告情報に対応する広告内容情報要求をユーザから受信し、要求された広告内容情報を前記表示装置に表示する処理を含むことを特徴とする請求項１９または２０に記載の広告表示方法。
【請求項２５】
利用者ＩＤに対応して記憶されているパスワードがユーザから入力されたパスワードと一致するか否かを判定して利用者を特定し、該特定された利用者の利用者ＩＤに対応して記憶されている利用者情報を予め定められた通知先へ通知する処理を含むことを特徴とする請求項１９〜２４の何れか１項に記載の広告表示方法。
【請求項２６】
利用者ＩＤに対応して記憶されているパスワードがユーザから入力されたパスワードと一致するか否かを判定して利用者を特定し、該特定された利用者の利用者ＩＤに対応して記憶されている利用者のサービスポイントをその利用者のパスワード長に応じたポイント値だけ更新する処理を含むことを特徴とする請求項１９または２０記載の広告表示方法。
【請求項２７】
コンピュータに表示装置のパスワード入力画面に広告情報を表示させるためのプログラムであって、前記コンピュータに、パスワードの文字が１文字入力される毎に広告情報の表示を変化させる処理を行わせるための広告表示用プログラム。
【請求項２８】
前記コンピュータに、パスワードの入力文字数を計測し、計測された入力文字数に応じて広告情報の表示を変化させる処理を行わせることを特徴とする請求項２７記載の広告表示用プログラム。
【請求項２９】
前記コンピュータに、パスワード長以下の個数の広告情報から構成されるセットを選択し、該選択したセットから広告情報を１つずつ選択してパスワード入力画面に表示させる処理を行わせることを特徴とする請求項２７または２８記載の広告表示用プログラム。
【請求項３０】
前記コンピュータに、パスワード長に等しい数に分割された広告情報を選択させる処理を行わせることを特徴とする請求項２８記載の広告表示用プログラム。
【請求項３１】
前記コンピュータに、パスワード入力画面に表示した広告情報に含まれる数値を入力文字数に応じて変化させる処理を行わせることを特徴とする請求項２８記載の広告表示用プログラム。
【請求項３２】
前記コンピュータに、パスワード入力画面に表示された広告情報に対応する広告内容情報要求をユーザから受信し、要求された広告内容情報を前記表示装置に表示する処理を行わせることを特徴とする請求項２７または２８に記載の広告表示用プログラム。
【請求項３３】
前記コンピュータに、利用者ＩＤに対応して記憶されているパスワードがユーザから入力されたパスワードと一致するか否かを判定して利用者を特定し、該特定された利用者の利用者ＩＤに対応して記憶されている利用者情報を予め定められた通知先へ通知する処理を行わせることを特徴とする請求項２７〜３２の何れか１項に記載の広告表示用プログラム。
【請求項３４】
前記コンピュータに、利用者ＩＤに対応して記憶されているパスワードがユーザから入力されたパスワードと一致するか否かを判定して利用者を特定し、該特定された利用者の利用者ＩＤに対応して記憶されている利用者のサービスポイントをその利用者のパスワード長に応じたポイント値だけ更新する処理を行わせることを特徴とする請求項２７または２８記載の広告表示用プログラム。
【発明の詳細な説明】
【技術分野】
【０００１】
本発明は広告表示システム、広告表示方法および広告表示用プログラムに関し、特にパスワード入力画面に広告を表示する広告表示システム、広告表示方法および広告表示用プログラムに関する。
【背景技術】
【０００２】
一般に宣伝広告は、広告効果を高めるために着目を受けやすい位置に表示することが広告主から望まれる。このため、パーソナルコンピュータや携帯電話等の画面や、ＡＴＭの取引画面等、利用者が良く目にする画面に広告を表示することで、広告を目に止まりやすくすることが行われている。たとえば、特許文献１に記載の広告システムでは、パーソナルコンピュータ等の画面にバナー広告を表示することで、パーソナルコンピュータ等の利用者へ宣伝広告を行っている。また特許文献２記載の広告表示方法では、パーソナルコンピュータ等の画面の中の内容を表す注目を得やすい場所（たとえばＷｅｂページの実質的な内容を記載したコンテンツ内のクリックボタンなど）に広告を表示している。
【０００３】
更に利用者が広告を見た対価として、ポイントを付与したり割り引きを行うなど、利用者に何かしらの利益を与えることで広告が注目されやすいようにする方法も知られている。たとえば、特許文献３の自動取引システムでは、ＡＴＭの操作画面に広告を表示し、利用者が広告を閲覧するとポイントを付与する。また特許文献４の携帯電話広告システムでは、携帯電話の画面に広告を表示し通信料を割り引きする。
【０００４】
また、通常の画面利用に支障のない場所に広告を表示することで、利用者の利便性を損なわない広告表示方法もある。たとえば、特許文献５の広告システムでは、携帯電話の背景画面に広告を表示することで、通常の携帯電話の利用には支障のないように広告を表示している。
【０００５】
【特許文献１】特開2006-18678号公報
【特許文献２】特開2002-7854号公報
【特許文献３】特開2006-260153号公報
【特許文献４】特開2002-135427号公報
【特許文献５】特開2002-245342号公報
【発明の開示】
【発明が解決しようとする課題】
【０００６】
本発明に関連する上述した技術では、広告効果と利用者の利便性を両立させるのは困難である。その理由は、広告効果を上げるために広告を注目されやすい場所に表示する場合には、利用者の利便性が低下し、反対に、利用者の行動や思考を妨げない場所に広告を表示する場合には、広告が注目されないために広告効果が下がるからである。
【０００７】
例えば、特許文献５の方法では、携帯電話の待ち受け画面に広告が表示されるため、携帯電話の利用について利用者の利便性は損なわれないが、待ち受け画面に広告が表示されているだけで利用者が広告を見ていないことが多く、広告効果はさほど高くない。また、特許文献１、３および４の方法のように、利用者の利便性を損なわない画面上の場所に広告を表示すると、画面に広告が表示されているというだけで、利用者が広告を見ていないかもしれず、逆に利用者に否が応でも目に付く位置に広告が表示されていると、利用者の利便性が損なわれる。
【０００８】
他方、特許文献２では、クリックボタンを兼ねた広告を行っており、その効果として、利用者の注目を受けやすく、しかも広告は単なるクリックボタンであるから、そのような広告がコンテンツ部分内にあったとしても、利用者のそのコンテンツの内容の理解を妨げることはないと言及している（００１６段落）。しかし、コンテンツにはクリックボタン以外にテキストや画像など利用者にとって重要な部分が多く存在しているため、クリックボタンが特に目立つわけではなく、クリックボタンに広告が表示されていることに利用者は気付きにくい。広告を目立たせるためにクリックボタンのサイズを通常より大きくすれば、クリックボタンを操作しない利用者の画面の利用を妨げることになる。勿論、クリックボタンを操作する時点で利用者は広告の内容を見ることになるが、クリックボタンを兼ねた広告はクリックすると広告主のホームページにジャンプするような錯覚を与える恐れがある。
【０００９】
本発明の目的は、高い広告効果が得られ、然も利用者の利便性を損なうことのない広告表示システムを提供することにある。
【課題を解決するための手段】
【００１０】
本発明の第１の広告表示システムは、広告情報を記憶する記憶手段と、前記記憶された広告情報を表示装置のパスワード入力画面に表示する手段であって、パスワードの文字が１文字入力される毎に広告情報の表示を変化させる表示制御手段とを備える。
【００１１】
本発明の第１の広告表示方法は、表示装置のパスワード入力画面に広告情報を表示する広告表示方法であって、パスワードの文字が１文字入力される毎に広告情報の表示を変化させる処理を含む。
【００１２】
本発明の第１の広告表示用プログラムは、コンピュータに表示装置のパスワード入力画面に広告情報を表示させるためのプログラムであって、前記コンピュータに、パスワードの文字が１文字入力される毎に広告情報の表示を変化させる処理を行わせる。
【発明の効果】
【００１３】
本発明によれば、表示した広告情報に利用者の注目を集めることができ、高い広告効果が得られる。その理由は、パスワードの文字が１文字入力される毎にパスワード入力画面上の広告情報の表示が変化するため、パスワード入力中の利用者が入力し損ねていないかどうかを確認するためにはパスワード入力画面を注視する必要があるためである。
【００１４】
また本発明によれば、利用者の利便性を損なうことなく、広告情報を表示することができる。その理由は、パスワードの文字が１文字入力される毎にパスワード入力画面上の広告情報の表示を変化させるので、ユーザは、パスワード入力画面を見ていれば、パスワードの各文字が確かに入力されたかどうかを確認することができるためである。
【００１５】
また本発明によれば、パスワード入力画面上における広告情報の変化が利用者を不快にさせたり、違和感を与える恐れを少なくできる。その理由は、利用者の意志と無関係に画面上の広告情報の表示が変化する広告方法と異なり、利用者自身によるパスワードの文字入力という行為に同期して広告情報の表示が変化するため、利用者は自らの意志で広告情報の表示を制御している気分になるためである。
【発明を実施するための最良の形態】
【００１６】
次に、本発明の実施例について図面を参照して詳細に説明する。
【００１７】
図１を参照すると、本発明の第１の実施例は、ログオン時にパスワードによるユーザ認証を行うパーソナルコンピュータ１００であって、データ処理装置１０１、入力装置１０２、表示装置１０３および記憶装置１０４から構成されている。
【００１８】
入力装置１０２は、たとえばキーボードで構成され、ログオン時にパスワードをユーザが入力するため等に使用される。
【００１９】
表示装置１０３は、たとえば液晶ディスプレイで構成され、ログオン時にパスワード入力画面を表示するため等に使用される。
【００２０】
記憶装置１０４は、たとえば半導体メモリや磁気ディスクで構成され、１以上の広告情報１０５を記憶するため等に使用される。広告情報１０５は、顧客を誘致するために、商品やサービスなどについて、多くの人に知らせるようにするための情報であり、文字および画像の何れか一方または双方を含んで構成される。ただし、広告情報１０５はパスワード入力画面に表示するものであるため、利用者が入力したパスワードの文字列と誤解が生じないよう、文字広告よりも写真や絵を用いた画像広告が望ましい。
【００２１】
データ処理装置１０１は、たとえば演算制御装置とその上で実行されるプログラムにより構成される。データ処理装置１０１は、ユーザがパーソナルコンピュータ１００にログオンする場合、パスワード入力画面を表示装置１０３に表示し、ユーザに対して利用者ＩＤとパスワードの入力を促す。そして、データ処理装置１０１は、ユーザが入力装置１０２から利用者ＩＤとパスワードを入力すると、入力されたパスワードが利用者ＩＤに対応した正しいパスワードであるかどうかを判定し、正しいパスワードであればログオンを許可し、当該ユーザにパーソナルコンピュータ１００の利用を許可する。
【００２２】
このようなユーザ認証時、データ処理装置１０１は、ユーザから入力された利用者ＩＤに間違いが無いかどうかをユーザに確認させるために、入力された利用者ＩＤはそのまま画面に表示する。他方、データ処理装置１０１は、利用者ＩＤに続いて入力されるパスワードについては、漏洩を防止するために表示せずに、その代わりに広告情報を画面に表示する。その際、データ処理装置１０１は、パスワードの文字が入力されたタイミングをユーザに知らせるために、パスワードの文字が１文字入力される毎に広告情報の表示を変化させる。このような制御を行うために、データ処理装置１０１は、パスワード受信手段１０６および広告表示制御手段１０７を有している。
【００２３】
パスワード受信手段１０６は、ユーザが入力装置１０２から入力したパスワードの文字を受信する手段であり、１文字受信する毎にその旨を広告表示制御手段１０７へ通知する機能を有する。
【００２４】
広告表示制御手段１０７は、記憶装置１０４に記憶された広告情報１０５を読み出して表示装置１０３のパスワード入力画面に表示する手段であり、パスワード受信手段１０６からパスワードの文字が１文字入力された旨の通知を受け取る毎に、広告情報の表示を変化させる機能を有する。
【００２５】
パスワード受信手段１０６および広告表示制御手段１０７によって実行される処理の流れを図２に示す。図２を参照すると、パスワード認証を要求される場面で、ユーザが入力装置１０２からパスワードを構成する文字を入力すると、パスワード受信手段１０６はその文字を受信し、広告表示制御手段１０７へパスワードの文字が１文字入力された旨を通知する（ステップＳ１０１、Ｓ１０２）。広告表示制御手段１０７は、この通知を受け取ると、パスワードの文字が１文字入力されたことを広告情報の表示の変化によってユーザが認識できるように、記憶装置１０４に記憶された広告情報１０５を表示装置１０３のパスワード入力画面に表示する（Ｓ１０３）。以上と同様の動作は、パスワードの入力が終了するまで、パスワードの１文字の入力毎に繰り返される。
【００２６】
このように本実施例によれば、ユーザがパスワードを構成する文字を１文字入力する毎に、パスワード入力画面上の広告情報の表示を変化させるので、ユーザは、パスワード入力画面を見ていれば、パスワードの各文字が確かに入力されたかどうかを確認することができ、ユーザの利便性を損なうことなく、広告情報を表示することができる。
【００２７】
また本実施例によれば、パスワードの文字が１文字入力されたことを知らせるようにパスワード入力画面上の広告情報の表示を制御しており、ユーザはパスワード入力中は通常入力し損ねていないかどうかを確認するためにパスワードの入力を知らせるパスワード入力画面を見ることから、利用者が広告を見る確度が高く、宣伝効果の高い広告の表示が可能になる。
【００２８】
次に、パスワードの文字が１文字入力される毎にそのことを広告情報の表示の変化でユーザに知らせる具体例について説明する。
【００２９】
＜具体例１＞
具体例１では、広告表示制御手段１０７は、パスワード入力画面に表示した広告情報内の特定の物の色を文字入力のタイミングで変化させる。この場合のパスワード入力画面の表示例を図３に示す。この例は自動車の広告であり、表示された広告情報内の自動車の色が、パスワードが１文字入力される毎に、そのタイミングで、異なった色、たとえば赤い自動車が青い自動車の画像に変わる。
【００３０】
このような広告表示制御は、たとえば、色を変化させる特定の物（自動車）の画像とそれ以外の変化しない部分の画像（背景）とを広告情報１０５中に別々に記憶しておき、また広告情報１０５に対応して、色の順序を記載した色リストおよび色リストの何番目の色を表示しているかを示す表示色番号とを記憶装置１０４に記憶し、広告表示制御手段１０７が、パスワード受信手段１０６からパスワードの１文字が入力された通知を受けたタイミングで表示色番号を１つ増加させ、変化しない部分の画像の上に、色リスト中の前記表示色番号で示される色にした特定の物の画像を重ねて表示することで実現できる。
【００３１】
＜具体例２＞
具体例２では、広告表示制御手段１０７は、広告情報内の特定の物の位置を文字入力のタイミングで移動させる。この場合のパスワード入力画面の表示例を図４に示す。この例は缶飲料の広告であり、缶飲料とイメージキャラクタの画像を含む広告情報を表示し、パスワードが１文字入力される毎に、そのタイミングで、缶飲料がイメージキャラクタのまわりを１回転する。
【００３２】
このような広告表示制御は、たとえば、動作させる特定の物（缶飲料）の画像とそれ以外の変化しない部分の画像（イメージキャラクタや背景）とを広告情報１０５中に別々に記憶しておき、また広告情報１０５に対応して、特定の物の動作中の軌跡を記載した軌跡リストを記憶装置１０４に記憶し、広告表示制御手段１０７が、パスワード受信手段１０６からパスワードの１文字が入力された通知を受けたタイミングで、変化しない部分の画像の上に重ねて表示する特定の物（缶飲料）の位置を軌跡リストに従って変化させることで実現できる。
【００３３】
＜具体例３＞
具体例３では、広告表示制御手段１０７は、表示する広告情報全体を文字入力のタイミングで別の広告情報に切り替える。この場合のパスワード入力画面の表示例を図５に示す。この例は缶飲料会社の広告であり、その缶飲料会社の販売する缶飲料の広告情報を表示し、パスワードが１文字入力される毎に、そのタイミングで、その缶飲料会社の販売する別の缶飲料の広告情報に切り替わる。
【００３４】
このような広告表示制御は、たとえば、それぞれ異なる缶飲料の広告情報である複数の広告情報１０５と、これら複数の広告情報１０５に対応して、表示する広告情報の順序を記録した表示順リストと、現在表示している広告情報の順番を記録する表示順番号とを記憶装置１０４に記憶し、広告表示制御手段１０７が、パスワード受信手段１０６からパスワードの１文字が入力された通知を受けたタイミングで、表示順番号を１つ増加させ、表示順リストにおける前記表示順番号に対応する広告情報を表示することで実現できる。
【００３５】
このようにパスワードの入力毎に表示する広告情報を切り替える場合、パスワードの長さに応じて表示する広告情報のセットを選択するようにしても良い。広告情報のセットとは、例えば缶飲料メーカーが販売する複数種類の缶飲料の広告情報の組み合わせの如く、それぞれ異なる複数の広告情報の組を言う。広告表示制御手段１０７は、例えばパスワードが８文字のユーザの場合、１セット８個以下の広告情報で構成されるセットを選択し、９個以上の広告情報で構成されるセットは選択しないようにすることで、１セットのうち一部の広告情報が表示されない事態を避けることができる。ユーザのパスワード長は、パスワード認証のために保持されているユーザＩＤとパスワードとの対応表をユーザから入力されたユーザＩＤで検索して、正規のパスワードを取得し、その文字数をカウントすることで検出することができる。また、セキュリティ確保のためにパスワードに最小文字数の制限がある場合、その最小文字数をパスワード長として利用することも可能である。
【００３６】
＜その他の具体例と取り消し時の処理例＞
パスワードの文字が１文字入力される毎にそのことを広告情報の表示の変化でユーザに知らせるその他の具体例としては、表示中の広告情報の全体または一部分を短時間だけ点滅させる方法や、広告情報全体の表示色を切り替える方法などが考えられる。また、間違って入力した文字を取り消すためにユーザがバックスペースキーなどの取り消しキーを入力した場合、パスワードの文字が１文字入力されたときと同様の方法で広告情報の表示を変化させても良いし、区別できる別の方法で広告情報の表示を変化させても良く、また「取り消しました」といった如きメッセージを表示しても良い。
【００３７】
次に本発明の第２の実施例について図面を参照して詳細に説明する。
【００３８】
図６を参照すると、本発明の第２の実施例に係るパーソナルコンピュータ２００は、図１に示した第１の実施例に係るパーソナルコンピュータ１００と比較して、データ処理装置１０１の代わりにデータ処理装置２０１を備えている点で相違する。
【００３９】
データ処理装置２０１は、データ処理装置１０１と比較して、パスワード受信手段１０６および広告表示制御手段１０７の代わりにパスワード受信手段２０２および広告表示制御手段２０３を備えている点で相違する。
【００４０】
パスワード受信手段２０２は、ユーザが入力装置１０２から入力したパスワードの文字を受信する手段であり、入力されたパスワードの文字数を計測する入力文字数計測手段２０４を備え、１文字受信する毎に入力文字数計測手段２０４の計測結果を広告表示制御手段２０３へ通知する機能を有する。
【００４１】
広告表示制御手段２０３は、記憶装置１０４に記憶された広告情報１０５を読み出して表示装置１０３のパスワード入力画面に表示する手段であり、パスワード受信手段２０２からパスワードの文字数の計測結果を受け取る毎に、その計測結果に応じて広告情報の表示を変化させる機能を有する。
【００４２】
パスワード受信手段２０２および広告表示制御手段２０３によって実行される処理の流れを図７に示す。図７を参照すると、パスワード認証を要求される場面で、ユーザが入力装置１０２からパスワードを構成する文字を入力すると、パスワード受信手段２０２はその文字を受信し、現在まで受信したパスワードの入力文字数を入力文字数計測手段２０４により計測し、その計測結果を広告表示制御手段２０３へ通知する（ステップＳ２０１〜Ｓ２０３）。広告表示制御手段２０３は、計測結果を受け取ると、現在まで入力されたパスワードの文字数を広告情報の表示の変化によってユーザが認識できるように、記憶装置１０４に記憶された広告情報１０５を表示装置１０３のパスワード入力画面に表示する（Ｓ２０４）。以上と同様の動作は、パスワードの入力が終了するまで、パスワードの１文字の入力毎に繰り返される。
【００４３】
このように本実施例によれば、ユーザがパスワードを構成する文字を１文字入力する毎に、それまでに入力された文字数に応じてパスワード入力画面上の広告情報の表示を変化させるので、ユーザは、パスワード入力画面を見ていれば、パスワードの各文字が確かに入力されたかどうかに加えて入力文字数まで確認することができ、ユーザの利便性を損なうことなく、広告情報を表示することができる。
【００４４】
また本実施例によれば、パスワードの入力文字数を知らせるように１文字入力される毎にパスワード入力画面上の広告情報の表示を制御しており、ユーザはパスワード入力中は通常入力し損ねていないかどうかを確認するためにパスワードの入力を知らせるパスワード入力画面を見ることから、利用者が広告を見る確度が高く、宣伝効果の高い広告の表示が可能になる。
【００４５】
次に、パスワードの入力文字数を広告情報の表示の変化でユーザに知らせる具体例について説明する。
【００４６】
＜具体例１＞
具体例１では、広告表示制御手段２０３は、パスワードの入力文字数と等しい数の広告情報をパスワード入力画面に表示する。この場合のパスワード入力画面の表示例を図８に示す。図８中、ＣＭという文字を枠で囲んだものが１つの広告情報であり、パスワードが１文字入力される毎に表示される広告情報が１つずつ増えていく。
【００４７】
例えば、缶飲料の広告であれば、１つの広告情報を缶飲料の画像とし、パスワードが１文字入力される毎に、缶飲料の画像を一つ追加して表示し、表示された缶飲料の画像の個数と入力文字数が同じになるようにする。
【００４８】
このような広告表示制御は、たとえば、缶飲料の画像を広告情報１０５として記憶し、また広告情報１０５に対応して、入力文字数と缶飲料の画像を表示する場所との対応を示す表示場所リストを記憶装置１０４に記憶し、広告表示制御手段２０３が、パスワード受信手段２０２からパスワードの入力文字数の通知を受けたタイミングで、表示場所リストから入力文字数に応じた表示位置を検索し、その表示位置に缶飲料の画像を表示することで実現できる。
【００４９】
缶飲料そのもの等の特定の商品１つを１つの広告情報とする以外に、缶飲料とロゴや背景を重ねて１つの塊としたものを１つの広告情報とすることもできる。また、入力文字数分の個数だけ表示される広告情報はすべて同じものとすることもできるし、たとえば缶飲料メーカーの複数種類の缶飲料をそれぞれ表示する如く、入力文字数分の個数だけ表示される広告情報をすべて異ならせることもできる。
【００５０】
複数種類の広告情報をそれぞれ表示する場合、広告情報の表示順を予め決めておいても良いし、表示の度にランダムに選択するようにしても良い。予め表示順を定めておく場合は、複数種類の広告情報１０５と表示順を示す表示順リストを記憶装置１０４に記憶しておき、入力文字数に応じて表示順リストで示される広告情報を表示することで実現できる。また、ランダムに広告情報の種類を選択する場合は、複数種類の広告情報１０５を記憶装置１０４に記憶しておくと共に、乱数発生器を備え、入力文字数が１つ増える毎に、乱数発生器で発生した乱数で示される広告情報を表示することで実現できる。
【００５１】
上記のように複数種類の広告情報をそれぞれ表示する場合、パスワードの長さに応じて表示する広告情報のセットを選択するようにしても良い。例えば、パスワードが８文字のユーザの場合、１セット８個以下の広告情報で構成されるセットを選択し、９個以上の広告情報で構成されるセットは選択しないようにすることで、１セットのうちの一部の広告情報が表示されない事態を避けることができる。パスワードに最小文字数の制限がある場合、その最小文字数をパスワード長として利用することも可能である。
【００５２】
＜具体例２＞
具体例２では、広告表示制御手段２０３は、パスワード入力画面に表示した広告情報の複数の領域のうち、パスワードの入力文字数に応じた数の領域の色を変化させる。この場合のパスワード入力画面の表示例を図９に示す。図９中、ＣＭという文字を枠で囲んだものが広告全体の表示部分、たとえば企業のイメージキャラクタの全体であり、パスワードが１文字入力される毎に、左から順に異なった色で表示されていき、異なった色で表示されている領域の個数で、現在までのパスワードの入力文字数を示す。
【００５３】
このような広告表示制御は、たとえば、広告情報１０５をイメージキャラクタの画像として記憶し、また広告情報１０５に対応して、イメージキャラクタの画像を予め定められた分割方法で分割した各領域の画像と、色を変える領域の順番を示す領域順リストと、入力前後それぞれの色を示す色リストとを記憶装置１０４に記憶し、パスワード入力前に、色リストで示された入力前の色で全領域を表示し、パスワードが１文字入力される毎に、現在までの入力文字数に応じた領域順リストで示される領域を、色リストで示される入力後の色で再表示することで実現できる。
【００５４】
＜具体例３＞
具体例３では、広告表示制御手段２０３は、パスワード入力画面に表示する広告情報を左右に複数の領域に予め分割しておき、パスワードの入力文字数に応じた数の領域を表示させる。この場合のパスワード入力画面の表示例を図１０に示す。図１０中、ＣＭという文字を破線の枠で囲んだものが広告全体の表示部分、たとえば企業のイメージキャラクタの全体であり、パスワードが１文字入力される毎に、左から順に１つの領域ずつ表示していき、表示している領域の個数で、現在までのパスワードの入力文字数を示す。
【００５５】
このような広告表示制御は、たとえば、イメージキャラクタの画像を予め定められた分割方法で分割した各領域の画像を広告情報１０５として記憶し、また広告情報１０５に対応して、表示する領域の順番を示す領域順リストを記憶装置１０４に記憶し、パスワードが１文字入力される毎に、現在までの入力文字数に応じた領域順リストで示される領域を表示することで実現できる。
【００５６】
このように広告情報を複数の部分に分割し、入力文字数に応じて順次に表示する場合、パスワードの長さに応じて広告情報の分割数を選択するようにしても良い。例えば、パスワードが８文字のユーザの場合、記憶装置１０４に記憶された広告情報のうち、８個の領域に分割された広告情報を選択することで、広告情報の一部しか表示されない事態を避けることができる。
【００５７】
＜具体例４＞
具体例４では、広告表示制御手段２０３は、パスワード入力画面に表示した広告情報内の特定の物の数を入力文字数に応じて変化させる。この場合のパスワード入力画面の表示例を図１１に示す。図１１中、枠で囲んだ領域全体が広告情報であり、パスワードが１文字入力される毎に広告情報中の特定の物の数が１つずつ増えていく。
【００５８】
例えば、缶飲料の広告であれば、背景画像や企業ロゴ、イメージキャラクタ等の画像を予め表示し、その画像の上に、パスワードが１文字入力される毎に、缶飲料の画像を一つずつ追加して表示していき、表示された缶飲料の画像の個数と入力文字数が同じになるようにする。入力文字数分の個数だけ表示される缶飲料の画像はすべて同じものとすることもできるし、缶飲料メーカーの複数種類の缶飲料をそれぞれ表示することもできる。
【００５９】
このような広告表示制御は、たとえば、予め表示する背景等の画像と缶飲料等の特定物の画像とを広告情報１０５として記憶し、また広告情報１０５に対応して、入力文字数と特定物を表示する位置の対応を示す表示位置リストを記憶装置１０４に記憶し、広告表示制御手段２０３が、パスワード入力前に、予め表示する背景等の画像を表示し、パスワード受信手段２０２からパスワードの入力文字数が通知されたタイミングで、通知された入力文字数に応じた表示位置リストで示される位置に特定物の画像を重ねて表示することで実現できる。
【００６０】
＜具体例５＞
具体例５では、広告表示制御手段２０３は、パスワード入力画面に表示した広告情報内の複数の特定の物のうち、所定の動きをする特定の物の数を入力文字数に応じて変化させる。この場合のパスワード入力画面の表示例を図１２に示す。図１２中、外側の枠で囲んだ領域全体が広告情報、内側の枠で囲んだ部分が特定の物であり、パスワードが１文字入力される毎に広告情報中の複数の特定の物のうち、上下動している特定の物の数が１つずつ増えていく。
【００６１】
例えば、缶飲料の広告であれば、予め背景やイメージキャラクタの画像に所定個の静止した缶飲料の画像を重ねた広告情報を表示させておき、パスワードが１文字入力される毎に、その広告情報中の静止した缶飲料の画像を一つずつ上下動させていき、上下に動いている缶飲料の画像の個数と入力文字数が同じになるようにする。
【００６２】
このような広告表示制御は、たとえば、予め表示する背景等の画像と缶飲料等の特定物の画像とを広告情報１０５として記憶し、また広告情報１０５に対応して、静止時の特定物の位置を示す表示位置リストと、上下動させる特定物の順番とその移動中の軌跡を示す動きリストとを記憶装置１０４に記憶し、広告表示制御手段２０３が、パスワード入力前に、予め表示する背景等の画像に所定個数の静止した特定物を重ねて表示し、パスワード受信手段２０２からパスワードの入力文字数が通知されたタイミングで、通知された入力文字数に応じた動きリストで示される位置の特定物の画像の位置を軌跡に沿って変化させることで実現できる。
【００６３】
＜具体例６＞
具体例６では、広告表示制御手段２０３は、パスワード入力画面に表示した複数の広告情報のうち、所定の動きをする広告情報の数を入力文字数に応じて変化させる。この場合のパスワード入力画面の表示例を図１３に示す。図１３中、枠で囲んだ部分が１つの広告情報であり、パスワード入力前に静止した状態の広告情報が所定個数表示されており、パスワードが１文字入力される毎に、上下動する広告情報の数が１つずつ増えていく。
【００６４】
例えば、缶飲料の広告であれば、それぞれ１つの缶飲料の画像を含む所定個の広告画像を予め表示させておき、パスワードが１文字入力される毎に、広告情報の画像を一つずつ上下動させていき、上下に動いている広告情報の画像の個数と入力文字数が同じになるようにする。
【００６５】
このような広告表示制御は、たとえば、予め表示する缶飲料等の複数の広告情報１０５と、その広告情報１０５に対応して、静止時の広告情報の位置を示す表示位置リストと、上下動させる広告情報の順番とその移動中の軌跡を示す動きリストとを記憶装置１０４に記憶し、広告表示制御手段２０３が、パスワード入力前に、複数の広告情報を静止時の位置に表示し、パスワード受信手段２０２からパスワードの入力文字数が通知されたタイミングで、通知された入力文字数に応じた動きリストで示される位置の広告情報の画像の位置を軌跡に沿って変化させることで実現できる。
【００６６】
＜具体例７＞
具体例７では、広告表示制御手段２０３は、パスワード入力画面に表示した広告情報の表示サイズを、入力文字数に応じて変化させる。この場合のパスワード入力画面の表示例を図１４に示す。図１４中、枠で囲んだ部分が広告情報であり、パスワードが１文字入力される毎に、左右方向の表示サイズが１段階ずつ拡大していく。
【００６７】
例えば、缶飲料の広告であれば、パスワード入力画面に表示する缶飲料の画像のサイズを、パスワードが１文字入力される毎に、１段階ずつ拡大していき、現在の左右方向の表示サイズで、入力文字数がわかるようにする。このために、図１４に示すようにパスワード入力画面に表示サイズを示す目盛りを表示するようにしても良い。
【００６８】
このような広告表示制御は、たとえば、予め表示する缶飲料等の広告情報１０５と、その広告情報１０５の表示サイズと入力文字数との対応を示す拡大リストとを記憶装置１０４に記憶し、広告表示制御手段２０３が、パスワード受信手段２０２からパスワードの入力文字数が通知されたタイミングで、通知された入力文字数に応じた拡大リストで示される表示サイズで、広告情報の画像を表示させることで実現できる。
【００６９】
＜具体例８＞
具体例８では、広告表示制御手段２０３は、パスワード入力画面に表示した広告情報に含まれる数値を入力文字数に応じて変化させる。この場合のパスワード入力画面の表示例を図１５に示す。この例は自動車の広告であり、表示された広告情報内の自動車の画像中の表示された数字が、パスワードが１文字入力される毎に、そのタイミングで、１ずつ増加していく。
【００７０】
このような広告表示制御は、たとえば、数値の画像とそれ以外の変化しない部分の画像（自動車）とを広告情報１０５中に別々に記憶しておき、また広告情報１０５に対応して、入力文字数に応じて幾つの数字を表示するかを示す数字番号リストを記憶装置１０４に記憶し、広告表示制御手段２０３が、パスワード受信手段２０２から入力文字数の通知を受けたタイミングで、入力文字数に対応する数字を、変化しない部分の画像の上に重ねて表示することで実現できる。このように入力文字数を示す数値だけを変化させる以外に、広告情報全体を別の広告情報に切り替え、切り替えた広告情報のどこかの箇所で入力文字数を示す数値を表示するようにしても良い。また、入力文字数を示す数値は、広告中の画像と無関係な数値とすることもできるが、関連を持たせることもできる。たとえば、自動車の広告であれば、ゼッケンをつけたレース用自動車の画像のゼッケン番号を入力文字数を示す数値とする等、広告と関連のある数値とすれば、広告情報に違和感を与えることなく入力文字数を表示することができ、望ましい。
【００７１】
＜その他の具体例と取り消し時の処理例＞
パスワードの入力文字数を広告情報の表示の変化でユーザに知らせるその他の具体例としては、広告情報の数や広告情報中の特定の物の数を１文字入力される毎に減らしていき、減らした数で入力文字数を示す方法などが考えられる。また、間違って入力した文字を取り消すためにユーザがバックスペースキーなどの取り消しキーを入力した場合、入力文字数計測手段２０４の計測値は取り消された文字数だけ減算され、広告表示制御手段２０３はその減算後の計測値に応じた時点の広告情報の表示状態に戻す。
【００７２】
次に本発明の第３の実施例について図面を参照して詳細に説明する。
【００７３】
図１６を参照すると、本発明の第３の実施例は、ログオン時にパスワードによるユーザ認証を行うパーソナルコンピュータ３００であって、データ処理装置３０１、入力装置１０２、表示装置１０３、記憶装置１０４および記憶装置３０６から構成されている。
【００７４】
入力装置１０２、表示装置１０３および記憶装置１０４は、図１に示した第１の実施例におけるものと同じである。
【００７５】
記憶装置３０６は、たとえば半導体メモリや磁気ディスクで構成され、１以上の広告内容情報３０７を記憶するため等に使用される。広告内容情報３０７は、表示装置１０３に表示される広告情報１０５のさらに詳しい情報や広告情報１０５に付随する情報であり、文字および画像の何れか一方または双方を含んで構成される。たとえば、広告情報１０５が車の広告であれば、それに対応する広告内容情報３０７は、車の仕様や値段、販売店の情報など、広告に表示された車に興味を持ったユーザがさらに詳しく知りたいと思うような情報や、購入したいと思った場合に必要となる情報である。広告情報１０５とそれに対応する広告内容情報３０７との対応付けは、広告内容情報３０７に、広告情報１０５を一意に識別する広告ＩＤを持たせる等の方法で行うことができる。
【００７６】
データ処理装置３０１は、たとえば演算制御装置とその上で実行されるプログラムにより構成される。データ処理装置３０１は、ユーザがパーソナルコンピュータ３００にログオンする場合、パスワード入力画面を表示装置１０３に表示し、ユーザに対して利用者ＩＤとパスワードの入力を促す。そして、データ処理装置３０１は、ユーザが入力装置１０２から利用者ＩＤとパスワードを入力すると、入力されたパスワードが利用者ＩＤに対応した正しいパスワードであるかどうかを判定し、正しいパスワードであればログオンを許可し、当該ユーザにパーソナルコンピュータ１００の利用を許可する。
【００７７】
このようなユーザ認証時、データ処理装置３０１は、ユーザから入力された利用者ＩＤに間違いが無いかどうかをユーザに確認させるために、入力された利用者ＩＤはそのまま画面に表示する。他方、データ処理装置３０１は、利用者ＩＤに続いて入力されるパスワードについては、漏洩を防止するために表示せずに、その代わりに広告情報を画面に表示する。その際、データ処理装置３０１は、パスワードの文字が入力されたタイミングをユーザに知らせるために、パスワードの文字が１文字入力される毎に広告情報の表示を変化させる。このような制御を行うために、データ処理装置３０１は、第１の実施例のパスワード受信手段１０６または第２の実施例のパスワード受信手段２０２と同様なパスワード受信手段３０２および、第１の実施例の広告表示制御手段１０７または第２の実施例の広告表示制御手段２０３と同様な広告表示制御手段３０３を有している。
【００７８】
さらにデータ処理装置３０１は、パスワード入力画面に表示された広告情報に興味を持ったユーザに対して、ユーザからの要求に応じて広告内容情報３０７を表示するために、広告内容情報要求受信手段３０４および広告内容情報表示制御手段３０５を備えている。
【００７９】
広告内容情報要求受信手段３０４は、ユーザから広告内容情報３０７の要求を受信する手段である。広告内容情報要求受信手段３０４は、たとえば、パスワード入力画面に表示された広告情報１０５がマウスでクリックされた場合に、ユーザから広告内容情報３０７の要求があったものと判断する。また、広告内容情報要求受信手段３０４は、パスワード入力用のキーとは別の特定のキーが操作された場合に、ユーザから広告内容情報３０７の要求があったものと判断することもできる。さらに、広告内容情報要求受信手段３０４は、パスワード認証終了後、表示装置１０３の画面に一定時間だけ広告内容情報３０７へのリンクを表示し、そのリンクがユーザによってクリックされた場合に、ユーザから広告内容情報３０７の要求があったものと判断することもできる。
【００８０】
広告内容情報表示制御手段３０５は、ユーザから要求された広告内容情報３０７を記憶装置３０６から読み出して表示装置１０３に表示する手段である。本実施例では、ローカルな記憶装置３０６から広告内容情報３０７を読み出したが、ネットワークを介して接続されたサーバ装置から、該当広告内容のネットワーク販売ページを広告内容情報として読み出すようにしても良い。また、表示装置１０３に表示する方法だけでなく、電子メールで広告内容情報を届ける方法や郵送でパンフレットを届ける方法など、広告内容情報の他の伝達手段を利用することもできる。
【００８１】
パスワード受信手段３０２、広告表示制御手段３０３、広告内容情報要求受信手段３０４および広告内容情報表示制御手段３０５によって実行される処理の流れを図１７に示す。図１７を参照すると、パスワード認証を要求される場面で、ユーザが入力装置１０２からパスワードを構成する文字を入力すると、パスワード受信手段３０２および広告表示制御手段３０３において図２のステップＳ１０２〜Ｓ１０３または図７のステップＳ２０２〜Ｓ２０４と同様の処理が実施され、パスワード入力画面に広告情報１０５が表示される（Ｓ３０１〜Ｓ３０３）。このような動作は、パスワードの入力が終了するまで、パスワードの１文字の入力毎に繰り返される。
【００８２】
他方、パスワード入力画面に広告情報１０５が表示されている際に、その広告情報１０５の広告に興味を持ったユーザが、表示された広告情報１０５をマウスでクリックする等の所定の操作を行うと、広告内容情報要求受信手段３０４は、広告内容情報の要求がユーザから行われたものと判断し、クリックされた広告情報１０５の広告ＩＤを広告内容情報表示制御手段３０５へ通知する（ステップＳ３０４）。広告内容情報表示制御手段３０５は、通知された広告ＩＤに対応する広告内容情報３０７を記憶装置３０６から読み出し、表示装置１０３の画面に表示する（ステップＳ３０５）。これによって、ユーザは、広告内容の詳しい情報や販売店情報などを知ることが可能となり、表示された広告情報１０５の広告効果をより一層発揮することができる。
【００８３】
また、ユーザが特に広告内容情報を欲しない場合は、表示された広告情報１０５をクリックすること無しに、パスワードの入力完了後に[RETURN]キー等の入力終了を示すキーを打つか、[OK]等のマークをマウスでクリックすれば、広告内容情報の表示といった余分な動作をすることなく通常の処理を続けることができる。従って、ユーザの利便性が損なわれることはない。
【００８４】
次に本発明の第４の実施例について図面を参照して詳細に説明する。
【００８５】
図１８を参照すると、本発明の第４の実施例に係るパーソナルコンピュータ４００は、図１６に示した第３の実施例に係るパーソナルコンピュータ３００と比較して、データ処理装置３０１の代わりにデータ処理装置４０１を備え、記憶装置３０６の代わりに記憶装置４０４および記憶装置４０５を備えている点で相違する。
【００８６】
記憶装置４０４は、半導体メモリや磁気ディスクなどで構成され、利用者ＩＤとパスワードとの対応表４０６を記憶する。
【００８７】
記憶装置４０５は、半導体メモリや磁気ディスクなどで構成され、利用者ＩＤに対応して、その利用者ＩＤを持つ利用者の利用者情報４０７を記憶する。利用者情報４０７としては、利用者の氏名など個人を特定できる情報であっても良いし、年齢、年代、性別、職業、居住地域などの或る種の属性情報としても良い。ここに記憶される利用者情報は、広告主などに通知されることになるため、利用者から予め了解をとっておくことが望ましい。
【００８８】
データ処理装置４０１は、データ処理装置３０１と比較して、広告内容情報要求受信手段３０４および広告内容情報表示制御手段３０５の代わりに利用者特定手段４０２および利用者情報通知手段４０３を備えている点で相違する。
【００８９】
利用者特定手段４０２は、パスワード認証時にユーザが入力した利用者ＩＤに対応するパスワードを対応表４０６から読み出し、パスワード受信手段３０２からユーザが入力したパスワードを受け取り、この受け取ったパスワードが対応表４０６から読み出したパスワードと一致するか否かを判定することにより、利用者を特定する手段である。この利用者特定手段４０２は、パスワード認証における通常の利用者特定手段を用いることもできるし、広告配信システム専用の利用者特定手段として構成することもできる。後者の場合、通常のパスワード認証としてのアクセス制御と広告配信システムとしてのユーザ管理を個別に扱うことができ、柔軟な管理を行うことができる。
【００９０】
利用者情報通知手段４０３は、利用者特定手段４０２から特定された利用者の利用者ＩＤを受け取り、この受け取った利用者ＩＤに対応する利用者情報４０７を記憶装置４０５から読み出し、この読み出した利用者情報４０７を、広告表示制御手段３０３が表示装置１０３に表示した広告情報１０５の広告主の端末装置へネットワーク経由で通知する手段である。広告主の端末装置の通信アドレスは、たとえば記憶装置１０４の広告情報１０５に対応付けて、たとえば記憶装置１０４に記憶されている。
【００９１】
パスワード受信手段３０２、広告表示制御手段３０３、利用者特定手段４０２および利用者情報通知手段４０３によって実行される処理の流れを図１９に示す。図１９を参照すると、パスワード認証を要求される場面で、ユーザが入力装置１０２からパスワードを構成する文字を入力すると、パスワード受信手段３０２および広告表示制御手段３０３において図２のステップＳ１０２〜Ｓ１０３または図７のステップＳ２０２〜Ｓ２０４と同様の処理が実施され、パスワード入力画面に広告情報１０５が表示される（Ｓ４０１〜Ｓ４０２）。このような動作は、パスワードの入力が終了するまで、パスワードの１文字の入力毎に繰り返される。
【００９２】
パスワードの入力が完了し、ユーザが[RETURN]キー等の入力終了を示すキーを打つか、[OK]等のマークをマウスでクリックすると、ユーザが入力したパスワードがパスワード受信手段３０２から利用者特定手段４０２に通知され、利用者特定手段４０２において利用者の特定が行われる（ステップＳ４０３）。そして、パスワードの照合によって利用者ＩＤが確定すると、それが利用者情報通知手段４０３に通知され、利用者情報通知手段４０３は、該当する利用者情報４０７を記憶装置４０５から読み出し、ネットワークを介して広告主の端末装置へ通知する（ステップＳ４０４）。
【００９３】
このように本実施例では、利用者特定手段４０２で特定された利用者の情報４０７を利用者情報通知手段４０３が広告主に通知するように構成されているため、広告主は通知された利用者情報４０７から、どのような人に広告を行ったのかを知ることができる。
【００９４】
また本実施例では、利用者情報４０７の通知先を広告主としたが、広告配信代理業者などの広告配信サーバに通知するようにしても良い。
【００９５】
また本実施例において、利用者の属性などの利用者情報別にそれに適した広告情報１０５を記憶装置１０４に記憶しておき、広告表示制御手段３０３が、ユーザから利用者ＩＤが入力された時点でその利用者ＩＤを持つ利用者の利用者情報４０７を記憶装置４０５から取得し、この取得した利用者情報４０７に適した広告情報１０５を記憶装置１０４から選択して、表示装置１０３に表示するようにしても良い。このような構成によって、広告の効率を高めることができる。
【００９６】
また本実施例に対して、第３の実施例の広告内容情報要求受信手段３０４、広告内容情報表示制御手段３０５および広告内容情報３０７を記憶する記憶装置３０６を付加しても良い。このような構成によれば、表示装置１０３のパスワード入力画面に表示された広告情報１０５に興味を持ち、その広告内容情報３０７を要求したユーザがどのようなユーザであるかを広告主に通知できるため、広告内容に興味をもつのはどのような利用者なのかを広告主が知ることができる効果がある。
【００９７】
次に本発明の第５の実施例について図面を参照して詳細に説明する。
【００９８】
図２０を参照すると、本発明の第５の実施例に係るパーソナルコンピュータ５００は、図１８に示した第４の実施例に係るパーソナルコンピュータ４００と比較して、データ処理装置４０１の代わりにデータ処理装置５０１を備え、さらに、新たに記憶装置５０３を備えている点で相違する。
【００９９】
記憶装置５０３は、半導体メモリやＩＣカードなどで構成され、利用者のサービスポイント５０４を記憶する。複数の利用者のサービスポイント５０４を記憶する場合、利用者ＩＤに対応付けてその利用者のサービスポイント５０４を記憶する。利用者は、記憶装置５０３に記憶されたサービスポイント５０４の値に応じて、各種のサービスを受けることができる。受けるサービスの種類は特に限定されない。たとえば、ポイント値に応じた利用料金の割引サービス、金銭として還元するサービス等が考えられる。
【０１００】
データ処理装置５０１は、データ処理装置４０１と比較して、新たにサービス提供手段５０２を備えている点で相違する。
【０１０１】
サービス提供手段５０２は、利用者特定手段４０２から特定された利用者の利用者ＩＤとパスワードの文字数とを受け取り、記憶装置５０３に当該利用者ＩＤに対応して記憶された利用者のサービスポイントを、パスワードの文字数に応じたポイント数だけ加算する機能を有する。
【０１０２】
パスワード受信手段３０２、広告表示制御手段３０３、利用者特定手段４０２、利用者情報通知手段４０３およびサービス提供手段５０２によって実行される処理の流れを図２１に示す。図２１を参照すると、パスワード認証を要求される場面で、ユーザが入力装置１０２からパスワードを構成する文字を入力すると、パスワード受信手段３０２および広告表示制御手段３０３において図２のステップＳ１０２〜Ｓ１０３または図７のステップＳ２０２〜Ｓ２０４と同様の処理が実施され、パスワード入力画面に広告情報１０５が表示される（Ｓ５０１〜Ｓ５０２）。このような動作は、パスワードの入力が終了するまで、パスワードの１文字の入力毎に繰り返される。また、パスワードの入力が完了し、ユーザが[RETURN]キー等の入力終了を示すキーを打つか、[OK]等のマークをマウスでクリックすると、第４の実施例と同様に、利用者特定手段４０２において利用者の特定が行われ（ステップＳ５０３）、さらに利用者情報通知手段４０３において、利用者情報４０７がネットワークを介して広告主の端末装置へ通知される（ステップＳ５０４）。
【０１０３】
さらに本実施例では、利用者特定手段４０２で特定された利用者ＩＤとパスワードの文字数とに基づいて、サービス提供手段５０２が、当該利用者ＩＤに対応して記憶装置５０３に記憶されている利用者のサービスポイントを、パスワードの文字数に応じたポイント数だけ加算する（ステップＳ５０５）。たとえば、パスワードの１文字当たり、１ポイントを加算する。
【０１０４】
このように本実施例では、パスワード認証で使うパスワードの文字数に応じたサービスポイントを利用者に付与するように構成されているため、ユーザがより長いパスワードを選択する動機となる。長いパスワードの場合、パスワードの入力完了までに要する時間が長くなるために、パスワード入力画面に広告が表示される時間が長くなり、広告効果を高めることができる。特に、パスワード入力画面に表示した広告情報全体を文字入力のタイミングで別の広告情報に切り替えたり（第１の実施例の具体例３）、パスワードの入力文字数と等しい数の広告情報をパスワード入力画面に表示する場合（第２の実施例の具体例１）、表示時間の延長に加えて表示する広告情報の数を多くすることができ、より一層広告効果が高まる。また、パスワード入力画面に表示した広告情報の表示サイズを、入力文字数に応じて変化させる場合も（第２の実施例の具体例７）、パスワード長が長いほど広告の表示サイズが大きくなるため、広告効果がより高まる。
【０１０５】
また、長いパスワードは短いパスワードよりも安全性が高いため、パスワード認証の安全性を高めることができる。さらに、パスワード認証を行えばユーザはサービスポイントを受けることができるため、離席時などにパーソナルコンピュータ５００に対して積極的にパスワードロックをかけるようになり、パーソナルコンピュータ５００の安全性を高めることができる。すなわち、本実施例によれば、利用者がより多くのサービスポイントを受けるために、長いパスワードを選択することや積極的にパスワード認証を行うことにより、セキュリティ向上に寄与する効果がある。
【０１０６】
以上本発明の実施例について説明したが、本発明は以上の実施例にのみ限定されず、その他各種の付加変形が可能である。
【０１０７】
たとえば、前述した各実施例では、パーソナルコンピュータのログオン時のパスワード認証に本発明を適用したが、本発明は、ＡＴＭ、パスワード制御式ドア、パスワード制御式金庫等、その利用に際してパスワード認証が必要となる機器全般、あるいは、認証の必要なＷｅｂページへのログオンや認証を必要とするダウンロードサービス等、その利用に際してパスワード認証が必要となるサービス全般に適用可能である。
【０１０８】
また、前述した各実施例では、入力装置１０２および表示装置１０３は、データ処理装置に直接接続されたローカルな入出力装置としたが、入力装置１０２および表示装置１０３は、データ処理装置とネットワーク経由で接続された端末装置の入力装置および表示装置であっても良い。
【０１０９】
また、各実施例のパスワード受信手段は、入力装置１０２から入力されたパスワードそのものを受信するものとしたが、パスワードの文字が１文字入力されたことを受信する機能を持つものであっても良い。たとえば、パスワード認証自体がオペレーティングシステムに組み込まれている場合、パスワード受信手段は、パスワードの文字が１文字入力されたことをオペレーティングシステムから通知されるように構成することができる。
【０１１０】
また、本発明によって広告情報を表示するパスワード入力画面は、通常のパスワード入力画面よりも大きなサイズにしても良い。パスワード入力中は、一般的にユーザはパスワード入力以外のことを行わないため、パスワード入力画面をたとえば表示装置１０３のほぼ画面全体のサイズまで大きくしても、利用者の利便性を損なうことはなく、広告を利用者に明確に認識させることができる。
【０１１１】
また、本発明は、その有する機能をハードウェア的に実現することは勿論、コンピュータと広告表示用プログラムとで実現することができる。広告表示用プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施例におけるデータ処理装置内の機能的手段として機能させ、また前述した処理をコンピュータに行わせる。
【産業上の利用可能性】
【０１１２】
本発明は、パスワード認証を行うパーソナルコンピュータ等におけるパスワード入力画面に広告情報を表示する用途などに適用できる。
【図面の簡単な説明】
【０１１３】
【図１】本発明の第１の実施例のブロック図である。
【図２】本発明の第１の実施例の動作を示す流れ図である。
【図３】本発明の第１の実施例におけるパスワード入力画面の表示例を示す図である。
【図４】本発明の第１の実施例におけるパスワード入力画面の他の表示例を示す図である。
【図５】本発明の第１の実施例におけるパスワード入力画面の他の表示例を示す図である。
【図６】本発明の第２の実施例のブロック図である。
【図７】本発明の第２の実施例の動作を示す流れ図である。
【図８】本発明の第２の実施例におけるパスワード入力画面の表示例を示す図である。
【図９】本発明の第２の実施例におけるパスワード入力画面の他の表示例を示す図である。
【図１０】本発明の第２の実施例におけるパスワード入力画面の他の表示例を示す図である。
【図１１】本発明の第２の実施例におけるパスワード入力画面の他の表示例を示す図である。
【図１２】本発明の第２の実施例におけるパスワード入力画面の他の表示例を示す図である。
【図１３】本発明の第２の実施例におけるパスワード入力画面の他の表示例を示す図である。
【図１４】本発明の第２の実施例におけるパスワード入力画面の他の表示例を示す図である。
【図１５】本発明の第２の実施例におけるパスワード入力画面の他の表示例を示す図である。
【図１６】本発明の第３の実施例のブロック図である。
【図１７】本発明の第３の実施例の動作を示す流れ図である。
【図１８】本発明の第４の実施例のブロック図である。
【図１９】本発明の第４の実施例の動作を示す流れ図である。
【図２０】本発明の第５の実施例のブロック図である。
【図２１】本発明の第５の実施例の動作を示す流れ図である。
【符号の説明】
【０１１４】
１００、２００、３００、４００、５００…パーソナルコンピュータ
１０１、２０１、３０１、４０１、５０１…データ処理装置
１０２…入力装置
１０３…表示装置
１０４、３０６、４０４、４０５、５０３…記憶装置
１０５…広告情報
１０６、２０２、３０２…パスワード受信手段
１０７、２０３、３０３…広告表示制御手段
２０４…入力文字数計測手段
３０４…広告内容情報要求受信手段
３０５…広告内容情報表示制御手段
３０７…広告内容情報
４０２…利用者特定手段
４０３…利用者情報通知手段
４０６…利用者ＩＤとパスワードの対応表
４０７…利用者情報
５０２…サービス提供手段
５０４…サービスポイント
【図１】
2010211248.tif 000003
【図２】
2010211248.tif 000004
【図３】
2010211248.tif 000005
【図４】
2010211248.tif 000006
【図５】
2010211248.tif 000007
【図６】
2010211248.tif 000008
【図７】
2010211248.tif 000009
【図８】
2010211248.tif 000010
【図９】
2010211248.tif 000011
【図１０】
2010211248.tif 000012
【図１１】
2010211248.tif 000013
【図１２】
2010211248.tif 000014
【図１３】
2010211248.tif 000015
【図１４】
2010211248.tif 000016
【図１５】
2010211248.tif 000017
【図１６】
2010211248.tif 000018
【図１７】
2010211248.tif 000019
【図１８】
2010211248.tif 000020
【図１９】
2010211248.tif 000021
【図２０】
2010211248.tif 000022
【図２１】
2010211248.tif 000023